(57)【特許請求の範囲】
【請求項１】
少なくとも下側の横枠板の前面部と左右に対向する一対の縦枠板の各前面部とが略同一平面上に配置されるように矩形に形成される木製の外枠と、前記外枠に遊技者側の前面側にて開閉可能となるように取り付けられると共に、複数の部材が取り付けられる所定厚さの内枠と、を備えた遊技機において、
前記外枠の前記内枠より下側部分の前面部を左右方向及び上下方向の各全幅に渡って覆うように設けられるスピーカ筐体を備え、
前記スピーカ筐体は、
前記横枠板及び各縦枠板の前面部から前記内枠の前面部まで前側方向に膨出される正面視横長四角形の合成樹脂製の前蓋部材と、
前記前蓋部材の裏面に配設されるスピーカと、
前記前蓋部材の背面部を覆うと共に前記横枠板の前面上端縁部より上側部分が裏側方向に膨出される合成樹脂製のスピーカ収容部材と、
前記スピーカ収容部材に形成され、前記横枠板及び各縦枠板の前面部に当接する平板部と、
前記平板部の前面に形成され、前記外枠の外縁に沿って立設されたリブと、
前記平板部の前面に形成され、前記前蓋部材の背面側周縁部の内周面に摺接するように、前記リブより外周側に前記外枠の外縁に沿って立設された挿入端部と、
を有し、
前記前蓋部材の背面側周縁部内に前記挿入端部を嵌入させることにより、前記前蓋部材の背面側の端部が前記平板部と前記挿入端部にそれぞれ当接した状態で、前記前蓋部材と前記スピーカ収容部材が接合されることを特徴とする遊技機。
【発明の詳細な説明】
【技術分野】
【０００１】
本発明は、外枠の前面に音を出力するスピーカ筐体を配置した遊技機において、特に、外枠の前面と接するスピーカ筐体の平板部にリブを設けることによって振動を防止したパチンコ機等の遊技機に関するものである。
【背景技術】
【０００２】
従来より、パチンコ機等の遊技機において、外枠の内枠より下側部分の前面部に箱型形状を有するスピーカボックスを設けた遊技機が種々提案されている。
ここで、一般にスピーカボックスは、ボックス内の容積が大きいほど、より高音質の音が出力可能なことが知られている。しかし、パチンコ機等の遊技機にスピーカボックスを配置する際には、その配置スペースは限られており、大型のスピーカボックスを設置することができない。そこで、スピーカボックスを形成する外壁部を薄く成形することにより内部の容積を増加させる方法が取られていたが、外壁部を薄くすると、外壁部がスピーカの振動に従って振動し、遊技機の外枠や内枠との間の共振により、所謂ビビリ音が発生す
ることとなっていた。
そこで、特開２００３−１３５６９０号公報には、幕板の位置に一対のスピーカユニットを取り付け、スリットを形成した厚みの有る木盤からなる幕板をパチンコ機の表面側からパチンコ機の底部に位置する外枠に装着することにより、スピーカボックスの容積を確保しつつ、幕板の共振を防止した遊技機が記載されている。
【特許文献１】特開２００３−１３５６９０号公報（第５頁〜第７頁、図４）
【発明の開示】
【発明が解決しようとする課題】
【０００３】
しかしながら、前記特許文献１に記載された遊技機においては、厚みの有る木盤を幕板に用いることによって振動を防止しているが、スピーカボックスのボックス内の容積をより大きく確保する為には、外枠の前面部に取り付けられる幕板に関しても、板厚の薄い樹脂等により成形することが望まれる。それにより、外枠の前面部を含めたスピーカボックス全体の容積が増加し、高音質の音が出力可能となるからである。しかし、幕板の板厚を薄くすると、外枠に対して幕板を固定したとしても、スピーカの振動に従って幕板が振動し、ビビリ音が発生することとなっていた。
【０００４】
そこで、本発明は、上述した問題点を解決するためになされたものであり、前記横枠板及び各縦枠板の前面部に当接する平板部にリブを設けることにより、外枠前面に位置する部分を含めたスピーカ筐体全体の容積を増加させ、高音質の音楽、効果音等を出力することが可能となるとともに、スピーカ筐体を構成する各部材の共振を抑制することが可能な遊技機を提供することを目的とする。
【課題を解決するための手段】
【０００５】
前記目的を達成するため請求項１に係る遊技機は、少なくとも下側の横枠板の前面部と左右に対向する一対の縦枠板の各前面部とが略同一平面上に配置されるように矩形に形成される木製の外枠と、前記外枠に遊技者側の前面側にて開閉可能となるように取り付けられると共に、複数の部材が取り付けられる所定厚さの内枠と、を備えた遊技機において、前記外枠の前記内枠より下側部分の前面部を左右方向及び上下方向の各全幅に渡って覆うように設けられるスピーカ筐体を備え、前記スピーカ筐体は、前記横枠板及び各縦枠板の前面部から前記内枠の前面部まで前側方向に膨出される正面視横長四角形の合成樹脂製の前蓋部材と、前記前蓋部材の裏面に配設されるスピーカと、前記前蓋部材の背面部を覆うと共に前記横枠板の前面上端縁部より上側部分が裏側方向に膨出される合成樹脂製のスピーカ収容部材と、前記スピーカ収容部材に形成され、前記横枠板及び各縦枠板の前面部に当接する平板部と、前記平板部の前面に形成され、前記外枠の外縁に沿って立設されたリブと、前記平板部の前面に形成され、前記前蓋部材の背面側周縁部の内周面に摺接するように、前記リブより外周側に前記外枠の外縁に沿って立設された挿入端部と、を有し、前記前蓋部材の背面側周縁部内に前記挿入端部を嵌入させることにより、前記前蓋部材の背面側の端部が前記平板部と前記挿入端部にそれぞれ当接した状態で、前記前蓋部材と前記スピーカ収容部材が接合されることを特徴とする遊技機。
【発明の効果】
【０００６】
請求項１に係る遊技機では、外枠の内枠より下側部分の前面部を左右方向及び上下方向の各全幅に渡って覆うように設けられるスピーカ筐体は、外枠を構成する横枠板及び各縦枠板の前面部に当接する平板部にリブを設けたので、外枠前面に位置する部分を含めたスピーカ筐体全体の容積を増加させ、高音質の音楽、効果音等を出力することが可能となるとともに、リブによって平板部を補強し、スピーカによる平板部の振動を抑制することができる。従って、スピーカ筐体を構成する各部材の共振により発生するビビリ音を防止することが可能となる。
【発明を実施するための最良の形態】
【０００７】
以下、本発明に係る遊技機をパチンコ機について具体化した実施形態に関して図面を参照して詳細に説明する。
【０００８】
先ず、本実施形態に係るパチンコ機の概略構成について図１乃至図４に基づき説明する。
図１及び図２に示すように、パチンコ機１は、正面視矩形に形成される木製の外枠２に対して合成樹脂製の内枠３が、内枠取付用ヒンジを構成する上ヒンジ３Ａ及び下ヒンジ３Ｂを介して外枠２に対して開閉自在に取り付けられている。そして、この内枠３のほぼ上半分の前側には、合成樹脂製の前面カバー部材４が左端縁部の上下を軸支されて開閉自在に取り付けられている。また、この前面カバー部材４のほぼ中央部には略円形の窓部５が開設され、この窓部５の外周縁部に形成されるガラス保持枠に装着された２枚のガラスを通して不図示の遊技盤上の遊技領域を見ることができるように構成されている。また、前面カバー部材４の窓部５の上端縁部には、フルカラーの発光ダイオードが内蔵され、遊技中のエラーを表示するエラー表示電飾ランプ６Ａが取り付けられている。また、このエラー表示電飾ランプ６Ａの左右外側には、「当たり」等の発生を報知したり遊技中に光演出をする各電飾ランプ６Ｂが取り付けられている。また、前面カバー部材４の前面部分は、不透明な合成樹脂製の前面部材４Ａで覆われており、この各電飾ランプ６Ａ、６Ｂと窓部５の上端周縁部との間に、不図示のフルカラーダイオードが左右方向に内蔵され、遊技中に光演出が行われる。
【０００９】
また、前面カバー部材４の右側中央部には、内枠３及び前面カバー部材４を施錠する施錠装置（不図示）を操作するための鍵挿入部４Ｂが設けられている。前面カバー部材４を開くためには、この鍵挿入部４Ｂに所定のキーを挿入して所定方向に回せば、施錠装置のロック状態が解除されて、前面カバー部材４のみがオープンされる。
また、この前面カバー部材４の下側には、賞球ケース２２を介して払い出される賞球を受ける上皿７が合成樹脂製プレート８に配設されている。また、このプレート８は、左端縁部の上下を軸支されて、前面カバー部材４を開放後、内側に設けられた不図示のレバーを下げることにより開放できるように取り付けられている。また、この上皿７の中央前面部には、カード式球貸機の操作ボタン７Ｂ、７Ｃ及びカード残高表示装置７Ｄが設けられている。そして、その上皿７の下には、下皿９が配設される。また、上皿７に連通する不図示の球送り機構を介して上皿７のパチンコ球が操作ハンドル１０に連結された発射装置１０Ａ（図３参照）へ送られるよう構成されている。
【００１０】
また、外枠２の内枠３より下側部分の前面部を左右方向及び上下方向の各全幅に渡って覆うようにスピーカ筐体１１が設けられている。また、図４に示すように、内枠３を外枠２に対して閉鎖した場合には、内枠３の下面部１３は、その自重によってスピーカ筐体１１の上面部１４に当接している。その際、当接された内枠３の下面部１３はスピーカ筐体１１を構成する前蓋部材６１とスピーカ収容部材６２との接合部１５上に位置するように構成されている。尚、スピーカ筐体１１については後に詳細に説明する。
また、このスピーカ筐体１１の底面前端縁部には、後述のように左右方向全幅に渡って外枠２の下端面に対向する位置まで下方に突設されるリブ部１２が設けられている。
【００１１】
また、図２及び図３に示すように、この内枠３のほぼ中央部には不図示の遊技盤が着脱自在なように鉄板等の金属製や合成樹脂製又は合成樹脂の一体成形により形成される機構盤１８に取り付けられている。そして、この機構盤１８の裏側には合成樹脂製の機構セット盤２０が開閉自在に蝶番により取り付けられている。
また、パチンコ機１の裏側最上段には、上方に開口した賞球タンク２１が機構セット盤２０に固定されている。賞球タンク２１は、傾斜した底面に連通孔が形成され、その連通孔の下方にはパチンコ球を２列に整列流出し、賞球ケース２２にパチンコ球を送る通路を形成するタンクレール２３が取り付けられている。また、賞球ケース２２内には、賞球案内部２４内の賞球通路を通過するパチンコ球を確認する球有り検出スイッチやパチンコ球の払い出しを調節する払い出しステッピングモータが内装されている。そして、これら賞球タンク２１、タンクレール２３、賞球案内部２４、賞球ケース２２等により賞球及び貸球の払い出しシステムが構成されている。
【００１２】
また、タンクレール２３の下側には液晶表示器（ＬＣＤ）等をカバーする樹脂製のセンターカバー２６が取り付けられている。そして、このセンターカバー２６の背面部内側には、スピーカ筐体１１内に装着される各スピーカ１１Ａ、１１Ｂ（図４、図８等参照）を駆動制御する音制御基板２８、各電飾ランプ６Ａ、６Ｂ等を駆動制御するランプ制御基板２９、及びＬＣＤ等を駆動制御する表示制御基板３０が取り付けられている。また、センターカバー２６の下側には、パチンコ機１の遊技動作を制御する主基板３２が内蔵される基板ケース３３が配設されている。また、基板ケース３３の下方には、上皿７から溢れた賞球を受けて下皿９に案内する下部受皿ボックス３５がボルトにより内枠３の裏側に取り付けられている。
また、機構セット盤２０には、賞球ケース２２の下流側に、賞球を上皿７に案内する賞球案内通路部（不図示）や、賞球タンク２１やタンクレール２３内のパチンコ球を抜くための球抜き通路の排出口３７が下向きに開口され、パチンコ球が下方に排出されるように構成されている。また、該賞球ケース２２の下流側には、上皿７から溢れて賞球案内通路部を流れた賞球を下部受皿ボックス３５まで案内する下皿排出路が形成されている（不図示）。また、この下皿排出路の横側（図３中、左側）には、入賞球を排出する入賞球排出通路の排出口３８が下向きに開口され、入賞球が下方に排出されるように構成されている。
【００１３】
次に、外枠２の概略構成について図４及び図５に基づいて説明する。
図５に示すように、外枠２は上下に対向する一対の横枠板４１、４２と、左右に対向する一対の縦枠板４３、４４とにより矩形に形成されている。各横枠板４１、４２及び縦枠板４３、４４は強度の高い合板で形成されており、それぞれ合板を切断加工することで個々に図示のような所定の寸法形状に予め形成されている。
また、各横枠板４１、４２及び縦枠板４３、４４は、ほぼ同じ幅寸法及び同じ厚さ寸法（本実施形態では、例えば、厚さ寸法は約１８〜２０ｍｍである。）に形成されている。そして、各縦枠板４３、４４の長手方向両端縁部の幅方向中央部には、高さ寸法及び厚さ寸法が板厚寸法にほぼ等しくなるように外側に突き出すように形成される断面四角形の各凸部４６が形成されている。また、各横枠板４１、４２の長手方向両端縁部の幅方向中央部の各凸部４６に対向する位置には、幅寸法及び深さ寸法が各凸部４６の断面形状にほぼ等しくなるように形成された各凹部４７が形成されている。そして、各縦枠板４３、４４の各凸部４６は、各横枠板４１、４２の各凹部４７に嵌入されて、各横枠板４１、４２及び各縦枠板４３、４４は、それぞれ互いに直角に交差した状態で組み付けられ、４つの各コーナにおいて、それぞれ３本の釘や木ネジ等の固定部材４８によって互いに結合されている。これにより、図５に示した結合状態では、各横枠板４１、４２及び縦枠板４３、４４の各前面部（図５中、手前側の面）は、同一平面上に位置するように形成されている。
【００１４】
また、外枠２の左上のコーナを形成する上側の横枠板４１及び左側の縦枠板４３には、上ヒンジ３Ａをネジ止めやカシメ等によって取り付けるための各貫通孔５１が穿設されている。また、左側の縦枠板４３には、下ヒンジ３Ｂをネジ止めやカシメ等によって取り付けるための各貫通孔５２が穿設されている。
また、図４及び図５に示すように、下側の横枠板４２には、各縦枠板４３、４４より内側の左右方向ほぼ全幅に渡って、前端縁部から幅方向略中央位置まで、位置決め凹部として機能する所定深さ（本実施形態では、例えば、深さ寸法は約５〜９ｍｍで、板厚の約１／３の深さ寸法である。）のスピーカ取付凹部５５が予め形成されている。
【００１５】
次に、スピーカ筐体１１の概略構成について図４、図６乃至図１３に基づいて説明する。
図４、図６乃至図８に示すように、スピーカ筐体１１は、下側の横枠板４２及び各縦枠板４３、４４の前面部から内枠３の前面部まで前側方向に膨出される正面視横長四角形の合成樹脂製の前蓋部材６１と、該前蓋部材６１の背面部の周縁部を覆う平板部６２Ａと、該平板部６２Ａの下側の横枠板４２の前面上端縁部より上側の部分から裏側方向に膨出される膨出部６２Ｂとを有する合成樹脂製のスピーカ収容部材６２と、から構成された略直方体の箱型形状を有する。また、前蓋部材６１の内側左右には、一対のスピーカ１１Ａ、１１Ｂが配設され、配設されたスピーカ１１Ａ、１１Ｂの正面にはそれぞれスピーカ１１Ａの表面側より発せられる音を前方へ出力するスピーカ孔５８Ａと、スピーカ１１Ｂの表面側より発せられる音を前方へ出力するスピーカ孔５８Ｂとが設けられている。更に、前蓋部材６１の略中心部には、スピーカ１１Ａの裏面側より発せられる音を前方へ出力するバスレフ孔５９Ａと、スピーカ１１Ｂの裏面側より発せられる音を前方へ出力するバスレフ孔５９Ｂとが設けられている。
【００１６】
また、図９及び図１０に示すように、この前蓋部材６１は、外枠２の内枠３より下側部分（図１参照）で、各縦枠板４３、４４より内側の左右方向全幅に渡る部分に対応する正面視横長四角形で所定厚さ（本実施形態では、厚さ寸法は、約２．５ｍｍ〜３．５ｍｍである。）の前側平板部６４と、この前側平板部６４の左右両側端縁部（図９（Ａ）、（Ｃ）中、左右両側端縁部）から後方（図９（Ｂ）中、上方向）に延出されて、内枠３の下面部１３の端縁部から外枠２の左右外側の両側端縁部に達するように形成される水平断面略１／４円弧状の各側面延出部６５、６６と、該前側平板部６４及び各側面延出部６５、６６の上下側端縁部（図９（Ａ）、（Ｃ）中、上下側端縁部）からほぼ水平に延出される上面延出部６７と下面延出部６８とから構成され、後側に開口する横長箱体状に形成されている。
また、前蓋部材６１の左上角部の上面部には、下ヒンジ３Ｂに取り付けるための段差部６９が形成されている。また、前蓋部材６１の各側面延出部６５、６６の上下端部（図１０（Ｃ）中、上下端縁部）には、後述のように木ネジが挿通される各取付孔７０が穿設されている（図１４参照）。この各側面延出部６５、６６の上端部に穿設される各取付孔７０は、各縦枠板４３、４４に対向し、該各側面延出部６５、６６の下端部に穿設される各取付孔７０は、下側の横枠板４２に対向する位置に設けられている。
また、図４、図１０（Ａ）、（Ｃ）、（Ｄ）に示すように、前側平板部６４の上下方向下端縁部には、該前側平板部６４の全幅に渡って下方（図１０（Ｃ）中、下側方向）に所定高さ（本実施形態では、約０．２ｍｍ〜３ｍｍの高さ寸法である。）突設されるリブ部１２が設けられている。
【００１７】
また、図９（Ｃ）及び図１０（Ｃ）に示すように、前側平板部６４の前面部のほぼ全面には、図１１に示す所定小径及び所定深さ（本実施形態では、内径約２ｍｍ〜３ｍｍで、深さは約１〜２ｍｍである。）の底部が見難い非貫通の各凹部７１が所定配列パターン（本実施形態では、上下方向及び左右方向に約３ｍｍピッチで配列されている。）で設けられている。
また、図９（Ａ）及び図１０（Ａ）に示すように、前側平板部６４及び各側面延出部６５、６６の裏面側には、左右方向及び上下方向に所定高さの補強リブ７２がマス目状に立設されている。また、前側平板部６４の裏面の各スピーカ１１Ａ、１１Ｂに対応する部分には略横長楕円形の取付リブ７３が立設されている。また、この取付リブ７３の内側部分のスピーカ孔５８Ａ、５８Ｂ領域に配設される各凹部７１は、図１２に示すように、底面部が裏側に連通される貫通孔７５に接続されて貫通され、各スピーカ１１Ａ、１１Ｂの前面方向への音放出口を構成している。
【００１８】
また、図１０（Ａ）、（Ｂ）に示すように、各取付リブ７３間の左右方向中央部には、断面略四角形状のバスレフ用リブ７６が所定高さ（本実施形態では、スピーカ筐体１１の奥行き寸法（６０ｍｍ）の略半分の寸法である３２ｍｍである。）に立設されている。また、このバスレフ用リブ７６の左右方向中央位置には、バスレフ孔５９Ａ、５９Ｂ及びバスレフ用リブ７６を左右方向に２分割すると共に、該前蓋部材６１の内側部分を左右方向に２分割するように、このバスレフ用リブ７６の裏側端縁部（図１０（Ｂ）中、上端縁部）まで裏側方向に延出される分割リブ７７が立設されている。この分割リブ７７は、後述のスピーカ収容部材６２に設けられた二分割リブ８８とともにスピーカ筐体の内部に２つのエンクロージャ１１０、１１１を形成する（図８参照）。
また、このバスレフ用リブ７６の内側部分（バスレフ孔５９）に配設される各凹部７１は、図１２に示すように、底面部が裏側に連通される貫通孔７５に接続されて貫通され、各スピーカ１１Ａ、１１Ｂの裏側方向に発せられる音を出力する音放出口を構成している（図８参照）。
また、各取付リブ７３とバスレフ用リブ７６との間の左右方向ほぼ中央位置のそれぞれの上下端部には、各取付用ボス７９が所定高さ（本実施形態では、前蓋部材６１の裏側端縁部とほぼ等しい高さになる高さ寸法である（図８参照）。）に立設されている。
ここで、この前蓋部材６１の外側面、即ち、前側平板部６４、各側面延出部６５、６６、上面延出部６７及び下面延出部６８の各表側面と、各凹部７１及び各貫通孔７５の内面とは、各スピーカ１１Ａ、１１Ｂの各貫通孔７５に対向する部分の色に対してコントラストの小さな色又は同じ色（例えば、黒色や灰色、銀色等である。）の着色、塗装、メッキ等がされている。
【００１９】
次に、前蓋部材６１に取り付けられたスピーカ１１Ａ、１１Ｂについて説明する。スピーカ１１Ａ、１１Ｂは楕円形のコーンを備えた楕円形コーン式スピーカである。そして、楕円形の長径方向が、水平方向（スピーカ筐体１１の長さ方向）に沿って前蓋部材６１に取り付けられている。
【００２０】
またスピーカ１１Ａ、１１Ｂの後面側には、一のスピーカに対してそれぞれ四箇所の通過孔７８が設けられている。通過孔７８は、スピーカ１１Ａ、１１Ｂの裏面側より発せられる音を減衰することなくバスレフ孔５９Ａ、５９Ｂに導く為に形成された孔である。ただし、四箇所の通過孔７８の内、外側向きに形成された二箇所の通過孔７８上には、各スピーカ１１Ａ、１１Ｂを駆動するためのスピーカ駆動ケーブル１０５が接続された配線板１０６が取り付けられ、その通過孔７８の大部分が塞がれることとなっている。また、スピーカ駆動ケーブル１０５は他端が後述のスピーカ収容部材６２に設けられた接続コネクタ８９に接続されている（図８参照）。
【００２１】
そして、スピーカ１１Ａの楕円形状のコーン表面より発せられる音は、スピーカ孔５８Ａより出力される。また、スピーカ１１Ａの裏面側より発せられる音は、通過孔７８を介してエンクロージャ１１０に送られ、エンクロージャ１１０内を通ってバスレフ孔５９Ａより出力される。また、スピーカ１１Ｂの楕円形状のコーン表面より発せられる音は、スピーカ孔５８Ｂより出力される。また、スピーカ１１Ｂの裏面側より発せられる音は、通過孔７８を介してエンクロージャ１１１に送られ、エンクロージャ１１１内を通ってバスレフ孔５９Ｂより出力される（図１７参照）。
【００２２】
以上より、スピーカ１１Ａ、１１Ｂは、楕円形コーン式スピーカで、且つ、楕円形の長径方向が、水平方向（スピーカ筐体１１の長さ方向）に沿って前蓋部材６１に取り付けられているので、通常の円形型のコーンを有する円形コーン式スピーカに比較して、限られた高さスペースでより大きな出力を持たせることが可能である。また、スピーカ１１Ａ、１１Ｂの後面には複数の通過孔７８が形成されているので、スピーカ１１Ａ、１１Ｂの裏面側より発せられる音を減衰することなくエンクロージャ１１０、１１１内に放出することが可能である。
更に、スピーカ１１Ａ、１１Ｂの駆動に必要な配線板１０６は、バスレフ孔５９Ａ、５９Ｂに対して外側に位置する通過孔７８上に設けているので、バスレフ孔５９Ａ、５９Ｂへと送られる音波がリブ等によって減衰される量を最小限とし、量感のある低音を再生することが可能となる。
【００２３】
次に、前蓋部材６１とともにスピーカ筐体１１を形成するスピーカ収容部材６２について説明する。
図１３に示すように、スピーカ収容部材６２は、前蓋部材６１の裏側周縁部とほぼ同じ形状で、該前蓋部材６１の裏側周縁部が当接されるとともに外枠２に取り付けられた際には横枠板４２及び縦枠板４３、４４の前面に当接される平板部６２Ａと、該平板部６２Ａの下側の横枠板４２の前面上端縁部より上側の部分（図４参照）から各縦枠板４３、４４より内側の左右方向全幅に渡って、下側の横枠板４２の前後方向幅寸法の約１／２の寸法だけ裏側方向（図１３（Ｂ）中、上方向）に膨出される膨出部６２Ｂとから構成されている。
また、膨出部６２Ｂの上面部及び底面部の前蓋部材６１の各取付用ボス７９に対応する部分には、前後方向全幅に渡って断面略半円形状の各溝部８１が形成され、該各溝部８１の前端縁部の平板部６２Ａには、各取付用ボス７９に対向する位置に取付用ネジが挿通される各貫通孔８２が穿設されている。
【００２４】
また、平板部６２Ａの前面部には、前蓋部材６１の裏側周縁部の内周面に摺接するように挿入端部８４が所定高さ（本実施形態では、約２ｍｍ〜５ｍｍの高さ寸法である。）で周設されている。また、この挿入端部８４の左右両端縁部の内周側上下端部には、前蓋部材６１の各取付孔７０に対向する位置に、木ネジが挿通される各貫通孔８６が穿設される各取付用ボス部８７が、この挿入端部８４とほぼ同じ高さ寸法で立設されている。更に、挿入端部８４の内側にはスピーカ収容部材６２を補強する収容部材補強リブ８５がマス目状に形成されている。
また、この膨出部６２Ｂ内の左右方向中央の前蓋部材６１の分割リブ７７に対応する位置には、この膨出部６２Ｂ内を左右に二分割するように内側面に立設される二分割リブ８８（区画壁）が設けられている。そして、この二分割リブ８８の前端縁部は、前蓋部材６１にスピーカ収容部材６２を取り付けることにより、該前蓋部材６１の分割リブ７７の後端縁部に当接され、このスピーカ筐体１１内の空間を左右にほぼ等分割するように構成されている（図８参照）。そして、分割された空間は、それぞれエンクロージャ１１０、１１１を形成する。
【００２５】
更に、平板部６２Ａには、挿入端部８４の内側にマス目状に平板部補強リブ８３が設けられている。平板部補強リブ８３は、挿入端部８４と同じ所定高さを有し、平板部６２Ａを補強し、スピーカ１１Ａ、１１Ｂにより生じる振動を低減させるものである。従って、スピーカ筐体１１が外枠２に取り付けられ、横枠板４２及び縦枠板４３、４４の前面に当接した状態では（図１７、図１８参照）、スピーカ１１Ａ、１１Ｂの振動によってスピーカ収容部材６２の平板部６２Ａが振動することを抑制するので、前蓋部材６１や、スピーカ収容部材６２の平板部６２Ａの板厚を薄くしたとしても、外枠２や内枠３との間の共振によってビビリ音が発生することを防止することができる。
【００２６】
また、膨出部６２Ｂの背面部の左端部（図１３（Ｃ）中、左端部）には、各スピーカ１１Ａ、１１Ｂを駆動するためのスピーカ駆動ケーブル（不図示）が裏側方向から接続される接続コネクタ８９（図７（Ａ）参照）が取り付けられる断面略四角形のコネクタ取付孔９０が穿設されている。また、このコネクタ取付孔９０の左右方向外側には、接続コネクタ８９をネジ止めするための貫通孔９１が穿設されている。また、膨出部６２Ｂの背面部には、該膨出部６２Ｂを下側の横枠板４２のスピーカ取付凹部５５に載置した場合に、該下側の横枠板４２の上端面部に対向する高さで、左右方向中央位置及び各スピーカ１１Ａ、１１Ｂの後端縁部が挿入されるスピーカ挿入リブ９２の背面部に対応する位置から平面視略三角形状の平板状の各取付部９３が、裏側方向水平に延出されている。また、各取付部９３の裏側方向先端部には、木ネジが挿通される貫通孔９４が穿設されている。
また、膨出部６２Ｂの上面部の下ヒンジ３Ｂに対向する位置には、スピーカ筐体１１を下ヒンジ３Ｂの下面にネジ止めするためのネジ孔９５が設けられている。
【００２７】
次に、スピーカ筐体１１の外枠２への取り付け・取り外し方法について図１４乃至図１６に基づいて説明する。
ここで、スピーカ筐体１１の組み立ては、先ず、前蓋部材６１の裏側面に立設される各取付リブ７３に各スピーカ１１Ａを押し当ててネジ止めし、各スピーカ１１Ａを前蓋部材６１の裏側面に取り付ける。また、スピーカ収容部材６２のコネクタ取付孔９０に接続コネクタ８９をネジ止めする。そして、各スピーカ１１Ａの配線用コネクタをこの接続コネクタ８９に接続後、前蓋部材６１のリブ部１２が下側方向になると共に、スピーカ収容部材６２の各取付部９３が下側方向になるように、この前蓋部材６１の裏側周縁部内にスピーカ収容部材６２の挿入端部８４を嵌入させつつ、該スピーカ収容部材６２の平板部６２Ａを前蓋部材６１の裏側端面部に当接させる。続いて、スピーカ収容部材６２の各貫通孔８２に裏側方向からビスを挿通し、前蓋部材６１の各取付用ボス７９にネジ止めして取り付け、スピーカ筐体１１を構成する（図７、図８参照）。
【００２８】
そして、図１４乃至図１６に示すように、前蓋部材６１のリブ部１２が下側になるようにスピーカ筐体１１をほぼ水平に保持して、外枠２の前面側から、スピーカ筐体１１のスピーカ収容部材６２を下側の横枠板４２と下ヒンジ３Ｂとの間に（図１４中、矢印９７方向に）挿入する。そして、スピーカ収容部材６２の膨出部６２Ｂの底面部をスピーカ取付凹部５５に載置した状態で、該スピーカ収容部材６２の平板部６２Ａを横枠板４２及び各縦枠板４３、４４の前面部に当接させる。そして、前蓋部材６１の各取付孔７０及びスピーカ収容部材６２の各貫通孔８６に各木ネジ９８を挿入し、上側の各木ネジ９８をそれぞれ縦枠板４３、４４の前面部にネジ止めし、下側の各木ネジ９８を下側の横枠板４２の前面部にネジ止めする。また、スピーカ収容部材６２の背面部に設けられる各取付部９３の各貫通孔９４に各木ネジ９９を挿通して、横枠板４２の上端面部にネジ止めする。更に、下ヒンジ３Ｂの貫通孔１０１にネジ１０２を挿通し、スピーカ収容部材６２の上面部に形成されるネジ孔９５にネジ止めし、固定する。これにより、スピーカ筐体１１は外枠２の前面部下方を覆うように取り付けられる。そして、内枠３を各ヒンジ３Ａ、３Ｂを介して取り付けて、スピーカ駆動ケーブル（不図示）を接続コネクタ８９に接続後、該内枠３を閉じた場合には、この内枠３の下端縁部がスピーカ筐体１１の上端面部に当接され、該内枠３の前面部に連続するパチンコ機１の前面部が構成される（図１及び図４参照）。
【００２９】
一方、スピーカ筐体１１を外枠２から取り外す場合には、先ず、内枠３を前側に開き、接続コネクタ８９からスピーカ駆動ケーブル（不図示）を取り外す。続いて、ネジ１０２、各木ネジ９９及び各木ネジ９８を前面側から取り外した後、該スピーカ筐体１１を前側方向に水平に引き出すことにより、パチンコ機１の前面側からスピーカ筐体１１を容易に取り外すことができる。
【００３０】
次に、スピーカ筐体１１を構成する前蓋部材６１及びスピーカ収容部材６２の接合構造について図１７乃至図１８に基づいて説明する。図１７は図１の線Ｘ１−Ｘ１でスピーカ筐体を切断した矢視断面図、図１８は図１５の線Ａ−Ａでスピーカ筐体を切断した矢視断面図である。
【００３１】
スピーカ筐体１１は、前記したようにスピーカ１１Ａ、１１Ｂが取り付けられた前蓋部材６１と、前記前蓋部材６１とともに密封空間であるエンクロージャ１１０、１１１を形成するスピーカ収容部材６２とが接合されることによって構成される。
その際に、図１７及び図１８に示すように、スピーカ収容部材６２の開口部周囲に形成された挿入端部８４が、前蓋部材６１の内側に挿入された後、前蓋部材６１の裏面に当接された状態、即ち前蓋部材６１によってスピーカ収容部材６２の端部が被覆された状態により接合されている。
【００３２】
また、外枠２の前面に当接されたスピーカ収容部材６２の平板部６２Ａは、マス目状に立設された平板部補強リブ８３によって補強されており、エンクロージャ１１０、１１１の容積を増加させる為に平板部６２Ａの板厚を薄くした場合であっても、前蓋部材６１に取り付けられたスピーカ１１Ａ、１１Ｂの振動によって、平板部６２Ａが振動することを防止することができる。
【００３３】
そして、接合されたスピーカ収容部材６２の挿入端部８４は、前蓋部材６１の側壁、具体的には、側面延出部６５、６６、上面延出部６７及び下面延出部６８の各延出部の端部６５Ａ、６６Ａ、６７Ａ、６８Ａの裏面に当接され、密封空間を形成しており、エンクロージャ１１０、１１１内で発生した音が接合部１５より外部へと漏れることのない様に構成されている。尚、図１８では図１５の線Ａ−Ａでスピーカ筐体１１を切断した矢視断面図の内、特に正面右側端部の側面延出部６６に対するスピーカ収容部材６２の接合構造のみを示しているが、左側端部の側面延出部６５に対するスピーカ収容部材６２の接合構造については図１８と左右対称の構造を有するのみであるので、図示は省略する。
【００３４】
即ち、挿入されたスピーカ収容部材６２の挿入端部８４は、前蓋部材６１の側面延出部６５、６６、上面延出部６７及び下面延出部６８の各端部６５Ａ、６６Ａ、６７Ａ、６８Ａにより被覆され、互いの面が当接されることにより前蓋部材６１とスピーカ収容部材６２とが接合され、高い気密性を保つことができる。従って、エンクロージャ１１０、１１１の容積を大きくする為に前蓋部材６１とスピーカ収容部材６２を構成する外壁を薄くした場合であっても、エンクロージャ１１０、１１１内に出力されたスピーカ１１Ａ、１１Ｂの裏面からの音を接合部１５より外部に漏らすことがなく、バスレフ孔５９Ａ、５９Ｂより出力される低音の量感を損なうことなく、高音質による音の出力が可能となる。
【００３５】
また、スピーカ収容部材６２の端部で挿入端部８４に対して直角方向には、端部保持リブ１１２が挿入端部８４と同様に周設されている。端部保持リブ１１２は、図１７及び図１８に示すように、前蓋部材６１とスピーカ収容部材６２とが接合された際に、前蓋部材６１の端部６５Ａ、６６Ａ、６７Ａ、６８Ａの面が当接される。それにより、スピーカ１１Ａ、１１Ｂの振動により前蓋部材６１が前後方向（図１７中、左右方向）に振動することを抑制することができる。従って、スピーカ収容部材６２の共振を防ぎ、ビビリ音の発生を防止することができる。
【００３６】
更に、スピーカ筐体１１が外枠２に取り付けられた状態で、且つ内枠３を外枠２に対して閉鎖した状態においては、内枠３の下面部１３が、その自重によってスピーカ筐体１１の上端面部１４に当接している。更に、その際に当接された内枠３の下面部１３は、前蓋部材６１とスピーカ収容部材６２の各端部が重ね合わされた重複部分の全体を覆うように構成されている。従って、内枠３からの加重によって接合部１５の気密性は向上し、また、前蓋部材６１とスピーカ収容部材６２の両方の振動を同時に抑制することが可能である。
また、接合部１５においては、前蓋部材６１がスピーカ収容部材６２の外側に位置するように接合されているので、内枠３の下面部１３は、スピーカ１１Ａ、１１Ｂが取り付けられたスピーカ筐体１１の振動の原因となる前蓋部材６１に直接当接し、上下方向の振動をより確実に抑え、ビビリ音の発生を防止することができる。
【００３７】
以上、本実施形態に係るパチンコ機では、内枠３の下部において外枠２の前面部を覆うように設けられたスピーカ筐体１１に関し、外枠２を構成する横枠板４２及び縦枠板４３、４４の前面に当接されたスピーカ収容部材６２の平板部６２Ａを、マス目状に立設された平板部補強リブ８３によって補強することにより、エンクロージャ１１０、１１１の容積を増加させる為に平板部６２Ａの板厚を薄くした場合であっても、前蓋部材６１に取り付けられたスピーカ１１Ａ、１１Ｂの振動によって、平板部６２Ａが振動することを抑制することができる。従って、外枠２や内枠３との間の共振により、ビビリ音が発生することを防止することが可能となる。
【００３８】
尚、本発明は、上記実施形態に限定されるものではなく、本発明の要旨を逸脱しない範囲内で種々の改良、変形が可能であることは勿論である。
例えば、本実施形態においては、外枠２の前面に当接するスピーカ収容部材６２の平板部６２Ａに補強用の平板部補強リブ８３を設けたが、外枠２の前面に前蓋部材６１を当接させ、前蓋部材６１と外枠２との当接する平板部に補強用のリブを設けるようにしても良い。
【図面の簡単な説明】
【００３９】
【図１】本実施形態に係るパチンコ機全体を示した正面図である。
【図２】本実施形態に係るパチンコ機全体を示した側面図である。
【図３】本実施形態に係るパチンコ機全体を示した背面図である。
【図４】図１のＸ１−Ｘ１矢視要部拡大断面図である。
【図５】本実施形態に係るパチンコ機の外枠を示す斜視図である。
【図６】本実施形態に係るパチンコ機のスピーカ筐体を示す斜視図である。
【図７】本実施形態に係るパチンコ機のスピーカ筐体を示す図で、（Ａ）は背面図、（Ｂ）は平面図、（Ｃ）は正面図、（Ｄ）は右側面図である。
【図８】本実施形態に係るパチンコ機のスピーカ筐体を示す水平断面図である。
【図９】本実施形態に係るパチンコ機のスピーカ筐体の前蓋部材に各スピーカを取り付けた状態を示す図で、（Ａ）は背面図、（Ｂ）は平面図、（Ｃ）は正面図、（Ｄ）は右側面図である。
【図１０】本実施形態に係るパチンコ機のスピーカ筐体の前蓋部材を示す図で、（Ａ）は背面図、（Ｂ）は平面図、（Ｃ）は正面図、（Ｄ）は右側面図である。
【図１１】図１０のＰ部を示す図で、（Ａ）は要部拡大正面図、（Ｂ）は（Ａ）のＸ２−Ｘ２矢視側断面図である。
【図１２】図１０のＱ部を示す図で、（Ａ）は要部拡大正面図、（Ｂ）は（Ａ）のＸ３−Ｘ３矢視側断面図である。
【図１３】本実施形態に係るパチンコ機のスピーカ筐体のスピーカ収容部材を示す図で、（Ａ）は背面図、（Ｂ）は平面図、（Ｃ）は正面図、（Ｄ）は右側面図である。
【図１４】本実施形態に係るパチンコ機のスピーカ筐体の外枠への取り付け方法を説明する図である。
【図１５】本実施形態に係るパチンコ機のスピーカ筐体を外枠に取り付けた状態を示す図である。
【図１６】図１５のスピーカ筐体部分の水平断面図である。
【図１７】図１の線Ｘ１−Ｘ１でスピーカ筐体を切断した矢視断面図である。
【図１８】図１５の線Ａ−Ａでスピーカ筐体を切断した矢視断面図である。
【符号の説明】
【００４０】
１                        パチンコ機
２                        外枠
３                        内枠
３Ａ                      上ヒンジ
３Ｂ                      下ヒンジ
１１                      スピーカ筐体
１１Ａ、１１Ｂ            スピーカ
１３                      内枠下面部
１４                      スピーカ筐体上面部
１５                      接合部
３７、３８                排出口
４１、４２                横枠板
４３、４４                縦枠板
６１                      前蓋部材
６２                      スピーカ収容部材
６２Ａ                    平板部
８３                      平板部補強用リブ
【図１】
0004678140.tif 000002
【図２】
0004678140.tif 000003
【図３】
0004678140.tif 000004
【図４】
0004678140.tif 000005
【図５】
0004678140.tif 000006
【図６】
0004678140.tif 000007
【図７】
0004678140.tif 000008
【図８】
0004678140.tif 000009
【図９】
0004678140.tif 000010
【図１０】
0004678140.tif 000011
【図１１】
0004678140.tif 000012
【図１２】
0004678140.tif 000013
【図１３】
0004678140.tif 000014
【図１４】
0004678140.tif 000015
【図１５】
0004678140.tif 000016
【図１６】
0004678140.tif 000017
【図１７】
0004678140.tif 000018
【図１８】
0004678140.tif 000019